(57)【要約】  【課題】  手動復帰と自動復帰を選択可能な漏電リレー技術を提供する。  【解決手段】  少なくとも警報接点をリセットする第１の制御信号をリセットボタン等の手動操作に基づき形成する第１の制御系と、警報接点をリセットする第２の制御信号を、電子回路により自動的に形成して出力する第２の制御系と、該第１、第２の制御系のうちのいずれか一方、または上記第１、第２の制御信号のうちのいずれか一方を選択する選択手段とを備え、少なくとも上記警報接点のリセット動作を、手動操作によるリセット動作、または自動的動作によるリセット動作のいずれかに選択可能な構成とする。【選択図】  図１
2005243352.tif 000002
【特許請求の範囲】
【請求項１】
漏洩電流を検出し少なくとも警報接点を動作させる漏電リレーにおいて、
上記警報接点をリセットする第１の制御信号を、手動操作に基づき形成して出力する第１の制御系と、
上記警報接点をリセットする第２の制御信号を、自動的に形成して出力する第２の制御系と、
上記第１の制御系と上記第２の制御系のいずれか、または上記第１の制御信号と上記第２の制御信号のいずれかを選択する選択手段と、
を備え、手動操作によりまたは自動的に、上記警報接点をリセットする構成としたことを特徴とする漏電リレー。
【請求項２】
漏洩電流を検出し少なくとも複数の警報接点を動作させる漏電リレーにおいて、
上記複数の警報接点を個別に動作させる接点駆動手段と、
上記接点駆動手段に入力され上記上記警報接点をリセット動作させる第１の制御信号を、手動操作に基づき形成して出力する第１の制御系と、
上記接点駆動手段に入力され上記警報接点をリセット動作させる第２の制御信号を、自動的に形成して出力する第２の制御系と、
上記警報接点毎に配され、該警報接点毎に独立して上記第１の制御系と上記第２の制御系のいずれか、または上記第１の制御信号と上記第２の制御信号のいずれかを選択する選択手段と、
を備え、手動操作によりまたは自動的に、上記複数の警報接点のそれぞれを個別に独立してリセット可能とした構成を特徴とする漏電リレー。
【請求項３】
上記第１の制御系と上記第２の制御系は、上記警報接点と併せ、警報表示ランプをリセット動作させる制御信号を形成する構成である請求項１または請求項２に記載の漏電リレー。
【請求項４】
上記第２の制御系は、漏洩電流値が基準値以下になったとき、上記第２の制御信号を形成して出力する構成である請求項項１または請求項２に記載の漏電リレー。
【発明の詳細な説明】
【技術分野】
【０００１】
本発明は、漏洩電流を検出して警報接点や警報表示ランプを動作させる漏電リレーに関する。
【背景技術】
【０００２】
従来、漏電リレーとしては、漏洩電流が検出されなくなった場合や該漏洩電流が所定値以下に下がった場合でも、警報接点をリセットせずにオン状態のまま保持し、リセットする場合はリセットボタン等を手動操作するいわゆる手動復帰式の漏電リレーと、漏洩電流が検出されなくなった場合または漏洩電流が所定値以下に下がった場合は、警報接点のオン状態を自動的に解いてリセット状態にするいわゆる自動復帰式の漏電リレーとが、それぞれ製品や文献等で公知となっている。例えば、特開２０００−１０６０７７号公報（特許文献１）には、手動復帰式の漏電リレーの技術例が記載されている。
【０００３】
【特許文献１】特開２０００−１０６０７７号公報
【発明の開示】
【発明が解決しようとする課題】
【０００４】
上記従来技術では、上記手動復帰式技術と上記自動復帰式技術とが互いに別個の漏電リレー中に構成されている。このため、上記手動復帰式技術と上記自動復帰式技術とを用いる場合には両漏電リレーが必要となり、設置スペースや費用の増大などにつながるおそれがある。
本発明の課題点は、上記従来技術の状況に鑑み、漏電リレーにおいて、上記手動復帰式と上記自動復帰式の両方のリセットが必要な場合にも、最小限１個の漏電リレーを用いることで対応できるようにすることである。
本発明の目的は、かかる課題点を解決し、設置スペースや費用の増大などを抑え、使い勝手性を改善できる技術を提供することにある。
【課題を解決するための手段】
【０００５】
上記課題点を解決するために、本発明では、漏電リレーとして、少なくとも警報接点をリセットするための第１の制御信号をリセットボタン等による手動操作に基づき形成する第１の制御系と、警報接点をリセットするための第２の制御信号を、電子回路により自動的に形成して出力する第２の制御系と、これら第１、第２の制御系のうちのいずれか一方、または上記第１、第２の制御信号のうちのいずれか一方を選択するための選択手段とを備え、少なくとも上記警報接点のリセット動作を、手動操作によるリセット動作、または自動的動作によるリセット動作のいずれかに選択可能な構成とする。警報表示ランプを備える場合も、第１、第２の制御系の選択または第１、第２の制御信号の選択により、警報接点のリセット動作と併せ、該警報表示ランプのリセット動作を、手動操作によるリセット動作、または自動的動作によるリセット動作のいずれかに選択可能な構成とする。また、警報接点毎に第１、第２の制御系の選択または第１、第２の制御信号の選択が可能な構成とし、警報接点のリセット動作を、各警報接点毎に、手動操作によるリセット動作、または自動的動作によるリセット動作のいずれかに選択可能な構成とする。
【発明の効果】
【０００６】
本発明によれば、１つの漏電リレーで、手動操作に基づくリセット動作と、自動的リセット動作とが可能となり、設置スペースや費用の増大などを抑え、かつ、使い勝手性を改善することができる。
【発明を実施するための最良の形態】
【０００７】
以下、本発明を実施するための最良の形態につき、図面を用いて説明する。
図１及び図２は、本発明の第１の実施形態の説明図である。図１は、第１の実施形態としての漏電リレーの回路図、図２は、図１の漏電リレーの外観図である。
図１において、１１は警報接点を有するリレー、１２は警報表示ランプ、１３は、警報接点の開閉時の瞬間電流を抑えるためのダイオード、１４は、リレー１１の警報接点と警報表示ランプ１２をリセットする制御信号の選択または該制御信号を形成する制御系の選択を行う選択手段としての選択スイッチ、１５は、リレー１１の警報接点と警報表示ランプ１２とに、手動操作に基づくリセット動作を行わせるためのリセットスイッチ、１６はサイリスタ、１７は、入力される動作信号により自動的に、リレー１１の警報接点と警報表示ランプ１２をリセットする制御信号を形成して出力するトランジスタ、１８は所定値を超える漏電電流を検出した場合に動作信号を形成して出力する検出回路である。リセットスイッチ１５及びサイリスタ１６は、上記リレー１１の警報接点と警報表示ランプ１２とをリセットする第１の制御信号を、リセットスイッチ１５の手動操作に基づき形成して出力する第１の制御系を構成する。トランジスタ１７は、上記リレー１１の警報接点と警報表示ランプ１２とをリセットする第２の制御信号を、検出回路１８からの動作信号に基づき自動的に形成して出力する第２の制御系を構成する。選択スイッチ１４は、上記第１の制御系と上記第２の制御系のいずれか、または上記第１の制御信号と上記第２の制御信号のいずれかを選択する。
【０００８】
図１の上記構成において、選択スイッチ１４が「手動」側の接続状態にされると、上記第１の制御系が構成され、検出回路１８、サイリスタ１６、リセットスイッチ１５、リレー１１及び警報表示ランプ１２が接続される。検出回路１８が、所定値を超える漏洩電流を検出して動作電流を形成し出力すると、リレー１１及び警報表示ランプ１２は該動作電流により作動する。すなわち、リレー１１は警報接点をオン状態にし、警報表示ランプは点灯状態（オン状態）になる。その後、漏洩電流がなくなったり減少したりして検出回路１８で漏洩電流が検出されず動作電流が出力されなくなっても、リレー１１及び警報表示ランプ１２は作動状態を保持し、リレー１１の警報接点、警報表示ランプ１２ともオン状態を継続する。該警報接点及び該警報表示ランプ１２の該オン状態を解いてリセット状態（オフ状態）とするためには、リセットスイッチ１５の接続をオフ状態にする。リセットスイッチ１５がオフ状態にされると、サイリスタ１６がオフされ、警報接点と警報表示ランプ１２はオフされ、リセットされる。一方、選択スイッチ１４が「自動」側の接続状態にされると、上記第２の制御系が構成され、検出回路１８、トランジスタ１７、リレー１１及び警報表示ランプ１２が接続される。かかる状態で、検出回路１８が、所定値を超える漏洩電流を検出して動作電流を形成し出力した場合は、該動作電流によりトランジスタ１７はオン状態となり、リレー１１及び警報表示ランプ１２を作動させ、リレー１１の警報接点をオン状態にし、警報表示ランプを点灯状態（オン状態）にする。その後、漏洩電流がなくなったり所定値以下に減少したりして検出回路１８から動作電流が出力されなくなった場合には、トランジスタ１７はオフ状態となり、自動的に該警報接点及び該警報表示ランプ１２のオン状態を解いてリセット状態（オフ状態）にする。すなわち、選択スイッチ１４が「自動」側の接続状態にされた場合は、検出回路１８の出力に基づき、警報接点及び警報表示ランプ１２が自動的にリセットされる。リレー１１の警報接点は複数個設けられ、リセット状態では全部がオフ状態にされる。
【０００９】
図２は、上記図１の漏電リレーの外観図である。
図２において、１は制御電源入力端子、２は零相変流器信号入力端子、３は警報接点端子、１２は警報表示ランプ、７は、漏電リレーをテスト動作させるためのテストボタン、１４は、リセット用の制御信号の選択または制御系の選択を行う選択スイッチ、１５はリセットスイッチ、１９は、検出回路１８（図１）において動作電流を形成する漏洩電流の基準値を設定する基準値設定スイッチである。本構成では、選択スイッチ１４は手動操作型構成としたが、リモコン操作等により電子的に作動する構成のものや、トランジスタ等で構成される電子的スイッチであってもよい。
【００１０】
図３及び図４は、本発明の第２の実施形態の説明図である。図３は、第２の実施形態としての漏電リレーの回路図、図４は、図３の漏電リレーの外観図である。本第２の実施形態は、警報接点または警報表示ランプ毎にリセットのための制御系の選択または制御信号の選択を可能にした場合であって、警報接点のまたは警報表示ランプのリセット動作を、各警報接点毎に、手動操作によるリセット動作、または自動的動作によるリセット動作のいずれかに選択可能な構成とする場合である。
【００１１】
図３において、１１ａ、１１ｂは警報接点を有するリレー、１２ａ、１２ｂは警報表示ランプ、１３ａ、１３ｂはそれぞれ、リレー１１ａ、１１ｂの警報接点の開閉時の瞬間電流を抑えるためのダイオード、１４ａ、１４ｂは、リレー１１ａ、１１ｂの警報接点と警報表示ランプ１２ａ、１２ｂをリセットする制御信号の選択または該制御信号を形成する制御系の選択を行う選択手段としての選択スイッチ、１５は、リレー１１ａ、１１ｂの警報接点と警報表示ランプ１２ａ、１２ｂとに、手動操作に基づくリセット動作を行わせるためのリセットスイッチ、１６はサイリスタ、１７は、入力される動作信号により自動的に、リレー１１ａ、１１ｂの警報接点と警報表示ランプ１２ａ、１２ｂをリセットする制御信号を形成して出力するトランジスタ、１８は所定値を超える漏電電流を検出した場合に動作信号を形成して出力する検出回路である。リセットスイッチ１５及びサイリスタ１６は、上記リレー１１ａ、１１ｂの警報接点と警報表示ランプ１２ａ、１２ｂとをリセットする第１の制御信号を、リセットスイッチ１５の手動操作に基づき形成して出力する第１の制御系を構成する。トランジスタ１７は、上記リレー１１ａ、１１ｂの警報接点と警報表示ランプ１２ａ、１２ｂとをリセットする第２の制御信号を、検出回路１８からの動作信号に基づき自動的に形成して出力する第２の制御系を構成する。選択スイッチ１４ａ、１４ｂは、上記第１の制御系と上記第２の制御系のいずれか、または上記第１の制御信号と上記第２の制御信号のいずれかを、リレー１１ａの警報接点及び警報表示ランプ１２ａと、リレー１１ｂの警報接点及び警報表示ランプ１２ｂとで互いに独立して選択する。
【００１２】
図３の上記構成において、選択スイッチ１４ａ、１４ｂのいずれか一方または両方が「手動」側の接続状態にされると、上記第１の制御系が構成され、検出回路１８、サイリスタ１６及びリセットスイッチ１５に対し、リレー１１ａの警報接点及び警報表示ランプ１２ａ、リレー１１ｂの警報接点及び警報表示ランプ１２ｂのいずれか一方または両方（リレー１１ａ、１１ｂの警報接点と警報表示ランプ１２ａ、１２ｂ）が接続される。かかる状態で、検出回路１８が、所定値を超える漏洩電流を検出して動作電流を形成し出力すると、検出回路１８に接続されているリレーと警報表示ランプは該動作電流により作動する。すなわち、リレーはその警報接点をオン状態にし、警報表示ランプは点灯状態（オン状態）になる。その後、漏洩電流がなくなったり減少したりして検出回路１８で漏洩電流が検出されず動作電流が出力されなくなっても、該リレー及び該警報表示ランプは作動状態を保持するため、警報接点、警報表示ランプともオン状態をそのまま継続する。該警報接点及び該警報表示ランプの該オン状態を解いてリセット状態（オフ状態）とするためには、リセットスイッチ１５の接続をオフ状態にする。リセットスイッチ１５がオフ状態にされると、サイリスタ１６がオフされ、警報接点と警報表示ランプはオフされ、リセットされる。一方、選択スイッチ１４ａ、１４ｂのいずれか一方または両方が「自動」側の接続状態にされると、上記第２の制御系が構成され、検出回路１８、トランジスタ１７に対し、リレー１１ａの警報接点及び警報表示ランプ１２ａ、リレー１１ｂの警報接点及び警報表示ランプ１２ｂのいずれか一方または両方（リレー１１ａ、１１ｂの警報接点と警報表示ランプ１２ａ、１２ｂ）が接続される。かかる状態で、検出回路１８が、所定値を超える漏洩電流を検出して動作電流を形成し出力した場合は、該動作電流によりトランジスタ１７はオン状態となり、該トランジスタ１７に接続されているリレー及び警報表示ランプを作動させ、リレーの警報接点をオン状態にし、警報表示ランプを点灯状態（オン状態）にする。その後、漏洩電流がなくなったり所定値以下に減少したりして検出回路１８から動作電流が出力されなくなった場合には、トランジスタ１７はオフ状態となり、自動的に該警報接点及び該警報表示ランプのオン状態を解いてリセット状態（オフ状態）にする。すなわち、選択スイッチ１４ａ、１４ｂのいずれか一方または両方が「自動」側の接続状態にされた場合は、検出回路１８の出力に基づき、警報接点及び警報表示ランプが自動的にリセットされる。選択スイッチ１４ａ、１４ｂは、リレー１１ａの警報接点及び警報表示ランプ１２ａのリセットと、リレー１１ｂの警報接点及び警報表示ランプ１２ｂのリセットとを互いに独立して制御する。
【００１３】
図４は、上記図３の漏電リレーの外観図である。
図４において、１は制御電源入力端子、２は零相変流器信号入力端子、３は警報接点端子、１２ａ、１２ｂは警報表示ランプ、７は、漏電リレーをテスト動作させるためのテストボタン、１４ａ、１４ｂは、リセット用の制御信号の選択または制御系の選択を行う選択スイッチ、１５はリセットスイッチ、１９は、検出回路１８（図３）において動作電流を形成する漏洩電流の基準値を設定する基準値設定スイッチである。本図４の構成では、選択スイッチ１４ａ、１４ｂは手動操作型の構成としたが、リモコン操作等により電子的に作動する構成のものや、トランジスタ等で構成される電子的スイッチであってもよい。
【図面の簡単な説明】
【００１４】
【図１】本発明の第１の実施形態としての漏電リレーの回路図である。
【図２】図１の漏電リレーの外観図である。
【図３】本発明の第２の実施形態としての漏電リレーの回路図である。
【図４】図３の漏電リレーの外観図である。
【符号の説明】
【００１５】
１…制御電源入力端子、
２…零相変流器信号入力端子、
３…警報接点端子、
７…テストボタン、
１１、１１ａ、１１ｂ…リレー、
１２、１２ａ、１２ｂ…警報表示ランプ、
１３、１３ａ、１３ｂ…ダイオード、
１４、１４ａ、１４ｂ…選択スイッチ、
１５…リセットスイッチ、
１６…サイリスタ、
１７…トランジスタ、
１８…検出回路、
１９…基準値設定スイッチ。
【図１】
2005243352.tif 000003
【図２】
2005243352.tif 000004
【図３】
2005243352.tif 000005
【図４】
2005243352.tif 000006